(57)【要約】【課題】これから切り替わろうとしている画面がどのような画面か，或いは，その切り替わった現在の画面がどういう画面であるかを，視覚的障害者が触覚的に簡単に知ることができるような操作装置を提供すること。【解決手段】複数の操作機能項目に対応したキーを表示する操作部と，上記操作部に表示されたキーについて所定の操作が行われることによって上記操作部の画面を切り替える画面切替手段と，上記操作部の一部あるいは全部を振動させる操作部加振手段と，を備えてなる操作装置において，上記操作部加振手段が，上記画面切替手段によって切り替わった，或いは切り替える操作部の画面に応じたモードで操作部を振動させるものである操作装置が提供される。【選択図】図４
2008015584.tif 000002
【特許請求の範囲】
【請求項１】
複数の操作機能項目に対応したキーを表示する操作部と，
上記操作部に表示されたキーについて所定の操作が行われることによって上記キーに割り当てられた機能を実行させる機能実行手段と，
上記操作部に表示されたキーにタッチしたことを感知するタッチ感知手段と，
上記タッチ感知手段によってキーへのタッチが感知された場合に，上記キー或いは上記操作部全体を，上記キーに割り当てられた機能に応じた振動モードで振動させる加振手段と，
を備えてなる操作装置において，
上記機能実行手段が，上記加振手段による振動モードに基づく振動の状態に対して行われる上記操作部に表示されたキーについての所定の操作のタイミングに応じて，上記キーに割り当てられた機能を実行させるものである操作装置。
【請求項２】
上記操作部が液晶操作部である請求項１に記載の操作装置。
【請求項３】
上記タッチ感知手段による振動モードが，１または複数のパルスからなるパルス群が一定周期で繰り返される１以上のパルス集団からなり，上記機能実行手段が，上記１つのパルス集団の時間帯の範囲内において，上記操作部に表示されたキーについてのタッチ状態がオフされたことに応じて，そのタッチされたキーに割り当てられた機能を実行するものである請求項１あるいは２のいずれかに記載の操作装置。
【請求項４】
請求項１〜３のいずれかに記載の操作装置を備えた画像形成装置。
【発明の詳細な説明】
【技術分野】
【０００１】
本発明は，複写機，プリンタ，ファクシミリその他各種電子応用機器に用いられる表示機能を備えた操作装置の改良に係り，特に操作画面を操作したときに操作画面を振動させる機能を備えた操作装置において，上記操作の確定を簡単な構成により達成しようとする操作装置に関するものである。
【背景技術】
【０００２】
一般に，複写機などの画像形成装置，プリンタ，ファクシミリなどの電子応用機器では，液晶画面などを備えた操作装置によって種々の情報を表示したり，あるいはタッチパネルを用いて種々の情報を機器に入力し，上記電子応用機器を操作するものが知られている。
そのような操作装置の中でも例えば特許文献１に記載のタッチ操作入力装置では，タッチトレーサの入力パッドをタッチ操作することによって，ディスプレイの画面上に表示された複数の操作機能項目を選択入力することができる。この時，制御部は，タッチトレーサの入力パッドの操作位置によって異なる振動を発生させ，操作者にどの機能項目に対応するタッチキーがタッチされているかを操作者に知らせることができる。
【０００３】
複写機を例にとって具体的に言えば，複写機の操作装置には複写開始キー，複写倍率設定キーその他種々の機能項目に対応するキーが表示されている。上記特許文献１に記載のタッチ操作入力装置では，例えば複写開始キーがタッチされた場合には，１回だけのパルスを断続周期的に発生させて複写開始キーを断続的に振動させるように設定しておく。また複写倍率設定キーがタッチされた場合には，連続するパルスを２回だけ発生させる断続パルスを断続周期的に発生させて複写倍率設定キーを断続的に振動させるように設定しておく。
これによって，例えば上記複写開始キーあるいは複写倍率設定キーにタッチした視覚的障害を持つ操作者は，夫々のキーの振動モードによって自分がどのキーを操作しようとしているかを触覚によって知ることができる。
【特許文献１】特開２０００−１９４４２７号公報
【発明の開示】
【発明が解決しようとする課題】
【０００４】
前記のような操作部を振動させることで操作者がどのキーを操作しようとしているかを操作者に知らせる機能を持つ操作装置は，確かに視覚的障害を持つ操作者にはキーを手探りで探す場合に有益なものである。
しかしながら，実際には上記のようなタッチパネルなどに形成された複写開始キーや複写倍率設定キーなどは，それを探し当てた，つまり選択できただけでは意味がなく，そのキーが操作されて，即ち操作が確定して，複写処理が実行されたり，倍率設定のための設定画面が開かれてはじめて，その役目を達成する。
このようなキーの選択ということと，キーの機能の確定ということを一緒に達成してしまうと，間違って選んでしまったキーの機能が実行されてしまう可能性が高くなり，操作がかえって煩雑になる。
【０００５】
そのため，キーに選択したことを検知させる機能と，キーの機能を確定（実行）させる機能の両方を持たせることが望ましい。
たとえば，タッチパネルの下に更に感圧スイッチを取り付けて，タッチパネルを触ればキーを選択することが出来，更にそれを強く押せばキーの機能が確定するような構成が考えられる。
また別の構成として，キーをタッチすれば選択状態となり，２度軽く叩けば（つまりダブルクリックすれば），キーの機能が実行されるような構成が考えられる。
【０００６】
しかしながら前者はタッチパネルのほかに更に各キーの下に設けた感圧スイッチが必要で，構造的に複雑となり，高価な装置となる欠点がある。
また後者のダブルクリック方式は，構成を簡単にすることが出来る長所があるが，このようなダブルクリックはパソコンなどに慣れた操作者には便利であっても，視覚的に不自由な操作者にとっては，なれるまでにそれなりの熟練が必要という問題が指摘される。
【０００７】
即ち，上記のように画面が振動することによってキーの内容などを知らせる（キーを選択するタッチパネルなどの操作画面を操作者がタッチした場合に，そのタッチによって知らせる）機能と，そのタッチされたキーの内容を実行する（確定）という機能の両方を簡単な構成で，しかも熟練を要することなく両方同時に達成することが出来れば極めて有益である。
【０００８】
従って，本発明は上記事情に鑑みてなされたものであり，その目的とするところは，これから切り替わろうとしている画面がどのような画面か，或いは，その切り替わった現在の画面がどういう画面であるかを，画面をタッチするだけで視覚的障害者が触覚的に簡単に知ることができるような機能と，画面をタッチする操作を確定させる機能を簡単な構成によって熟練を要することなく同時に満足する操作装置を提供することである。
【課題を解決するための手段】
【０００９】
上記目的を達成するために本発明の背景となる構成は，
複数の操作機能項目に対応したキーを表示する操作部と，
上記操作部に表示されたキーについて所定の操作が行われることによって上記キーに割り当てられた機能を実行させる機能実行手段と，
上記操作部に表示されたキーにタッチしたことを感知するタッチ感知手段と，
上記タッチ感知手段によってキーへのタッチが感知された場合に，上記キー或いは上記操作部全体を，上記キーに割り当てられた機能に応じた振動モードで振動させる加振手段と，を備えてなる操作装置において，
上記機能実行手段が，上記加振手段による信号モードに基づく振動の状態に対して行われる上記操作部に表示されたキーについての所定の操作のタイミングに応じて，上記キーに割り当てられた機能を実行させるものである操作装置である。
上記操作部は望ましくは液晶操作部によって構成される。
【００１０】
上記加振手段が，１または複数のパルス振動からなるパルス群を画面に応じて発生させるものである場合に，上記パルス群によって生成される操作部の振動の状態と操作部に表示されたキーに対する操作のタイミングが問題となる。この場合，上記機能実行手段が，上記加振手段による操作部を振動させるパルス集団の時間帯の範囲内において，上記操作部に表示されたキーについてのタッチ状態がオフされたことに応じて，画面の切り替え，複写処理などの各種処理を実行するかあるいはその処理をキャンセルするものであることが好ましい実施形態として考えられる。
パルス集団の意味は後述される。
【００１１】
なお，本発明は，上記操作装置を備えた画像形成装置についても適用される。
【発明の効果】
【００１２】
上記のようにタッチパネルなどの操作画面を操作者がタッチした場合に，そのタッチによって画面が振動することによってキーの内容などを知らせる（キーを選択する）機能と，そのタッチされたキーの内容を実行する（確定）という機能の両方を簡単な構成で，しかも熟練を要することなく両方同時に達成することが出来る。
【発明を実施するための最良の形態】
【００１３】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は，本発明の実施の形態に係る複写機の操作部におけるメニュー画面を示す図，図２は，本発明の実施の形態に係る複写機の操作部におけるユーザ機能のメイン画面（第１層）を示す図，図３は，同複写機の操作部に関する制御ブロック図，図４は，上記操作部における制御の内容を示すフローチャート，図５は，操作部における制御の内容を示すタイムチャートである。
【００１４】
まず，図３のブロック図を用いて，本発明の実施の形態に係る複写機の操作部に関する制御装置の概略構成について説明する。
この制御装置は，図３に示すように複写機の液晶表示部に設けられ，画面切り替えや各種処理の実行など，各種機能項目に対応したキーを備えた操作部の一例であるタッチパネル１からの操作信号（操作部にタッチしたか否かの信号）や視覚的障害のある操作者の操作であることを認識させるための特殊処理ボタン７から信号を受信し，上記タッチパネル１の一部あるいは全体を後記する特殊なモードで加振するバイブレータ５を駆動する制御部３を中心として構成されている。上記液晶表示部に設けられたタッチパネル１が，複数の操作機能項目に対応したキーを表示する操作部の一例である。
なお以下の説明ではタブ，ボタン，キーといった言葉が登場するが，これらは本発明における操作機能項目に対応したキーの一例であることを念のため記載しておく。
【００１５】
上記制御部による上記バイブレータ５の制御手順について，図４に示したフローチャートを参照して説明する。
この手順を特殊加振処理と呼ぶ。これらの処理は，図示せぬＲＯＭなどの格納されたプログラムに基づいて上記制御部３により実行される。
処理は，便宜上，上記特殊処理ボタン７が押されている時だけ行われるように設定されているが，これにこだわるものではなく，特殊処理ボタン７が１度押されると実行され，再度押されると終了されるような態様であってもよい。
なお，以下の説明中のＳ１，Ｓ２，…は処理手順（ステップ）の番号を示す。
【００１６】
図４に示すように処理が開始されると，まず前記特殊処理ボタンが押されているか否か，即ち特殊処理ボタン７からの押下信号が伝達されているか否かが制御部３により判断される（Ｓ１）。
上記特殊処理ボタン７は，操作部の一例であるタッチパネル１内に設けられていても，あるいはそれ以外の場所に設けられていてもよい。特に視覚的な障害のある操作者の便宜のために設けられたボタンであって，その位置は操作者に記憶されているものとする。
上記特殊処理ボタン７が押下されていない場合（Ｓ１においてＮＯ）には，通常の処理に移行する（Ｓ１０）。
【００１７】
上記特殊処理ボタン７による押下信号を受信する（Ｓ１でＹＥＳ）と，制御部３は，次に上記操作部即ちタッチパネル１がタッチされたか否かを判断する（Ｓ２）。タッチパネル１は，平面的にマトリックス状に配置されたキー群を備えてなり，タッチパネル１上のキーをタッチすることによりキー部分に形成される静電容量の変化などによって「押された位置」を示す座標データを含む押下信号が生成され，この押下信号により人間がタッチパネル１上のどこにタッチしたかを判断できる。即ち，上記タッチパネル１は，操作手段であると共に，上記操作部に表示されたキーにタッチしたことを感知するタッチ感知手段の一例でもある。
【００１８】
タッチパネル７へのタッチがなければ（Ｓ２でＮＯ），処理はＳ１に戻って，特殊処理ボタンが押されているか否かの判断を行う。
タッチパネル７がタッチされていると，タッチパネル７からの押下信号に基づいて判断された場合（Ｓ２でＹＥＳ）には，制御部３は，タッチされているのがタブやキーか，或いはこのようなキーのない部分であるかをタッチパネル７からの座標信号から判断する。
【００１９】
ここで，この実施形態に用いられているタッチパネル１の構成の一例を図１，図２に基づいて説明する。
図１は，上記タッチパネルを設けた操作部にメニュー画面が表示されている状態を示すもので，図の下段に基本タブＴＵ１，ユーザ機能タブＴＵ２，機能リストタブＴＵ３，プログラムタブＴＵ４が並んでいる。上記各タブＴＵ１〜ＴＵ４が，基本メニュー，ユーザ機能メニュー，機能リストメニュー，プログラムメニューへの切り替えタブである。
初期設定としては図１に示すように基本メニューが表示されており，その他のメニュータブ，即ちユーザ機能タブＴＵ２，機能リストタブＴＵ３，プログラムタブＴＵ４が押されると共に確定すると，画面はそれぞれのタブに対応した画面に切り替わる。このように，基本タブＴＵ１，ユーザ機能タブＴＵ２，機能リストタブＴＵ３，プログラムタブＴＵ４およびこれからの押下信号によりタッチパネル１の画面を切り替える（この場合，画面を切り替えることが，タブに割り当てられた機能の一例である）制御部３が，本発明における機能実行手段の一例である。
キーが複写開始キーのようなキーの場合は，そのキーに割り当てられた機能は，複写処理を実行することである。
例えば図２は，ユーザ機能タブＴＵ２が押されて確定したために，ユーザ機能画面が表示された場合を示している。
【００２０】
上記のように，タブＴＵ１〜ＴＵ４のいずれかが押された後に確定した場合に，制御部３は現在の画面を，押された（タッチされた）それぞれのタブに対応する画面にその都度切り替えるが，液晶画面のように画面の変化を触覚的に表示することのできない操作部の場合，自分で画面を変化させた場合は別として，他の操作者が変化させた後の画面に接して操作しようとする場合，視覚が不自由な操作者には，現在開いている画面がどのタブを押した結果の画面であるのか，どのキーを押した結果の画面であるのかといったことは，理解できない。
この実施例では，後記する振動モードでキー或いはタッチパネル全体を振動させることで，画面の切り替えを操作者に予知或いは知らせる。
上記のように図１に示すメニュー画面の中のユーザ機能タブを押した結果，図２に示されユーザ機能画面が開かれるような場合，上記図２に示されるユーザ機能画面は，図１に示されるメニュー画面を上位概念画面（第１層）とする下位概念画面（第２層）であるといえる。
【００２１】
また上記図１に示されたメニュー画面中の基本画面の中の濃度設定ボタンＢ２や縮小拡大ボタンＢ３が押されて確定された場合には，濃度設定の内容を示す画面や縮小拡大の内容を示す画面に移行する。
同様に，上記第２層であるユーザ機能画面（図２参照）中の両面／分割ボタンＢ１が押されて，確定されると，上記両面／分割処理の内容を更に詳細に示す画面が開かれる。このように画面を順次開いていく処理は，上位の層から下位の層に概念をたどって開いていく場合と，その逆に下位概念から上位概念にさかのぼる場合と，同じ層であるが，詳しさが異なる画面を開く場合がある。
即ち，上記濃度設定ボタンＢ２や縮小拡大ボタンＢ３，或いは両面／分割ボタンＢ１及びこれらからの押下信号の確定に基づいて画面を切り替える制御部３も機能実行手段の一例である。
いずれの場合においても，これらの画面の変化は，視覚に障害のある操作者には，理解できない。
【００２２】
本実施形態は上記したような，現在表示されている画面の状態を，タッチパネル１あるいは適宜の場所やボタンに与える画面の状態に応じた振動のモードによって操作者に知らせようとする部分と，タッチされた場所がタブやキーである場合に，そのタブやキーの操作が確定した場合に開かれる画面を予告する部分とを含むものである。
詳細は以下のフローチャートを参照することで理解される。
ここでは概念の層が変化した場合を例に挙げているが，同じ概念層で詳しさが異なるような場合にもついても同様であるので，後者については説明を省略する。また，複写開始キーのような場合には，予告のみが行いうる。
【００２３】
前記のようにＳ２においてタッチパネル１がタッチされたと判断され，Ｓ３において，操作されたのがどれかのタブあるいはキーであるのか，あるいはタブでもキーでもない，それらの表示されていない余白の部分であるのかが判断される（Ｓ３）。即ち，所定のキーについての操作が行われているかどうかが判断される。
上記制御部３に接続された記憶部９には，タブやキーに対応した振動モード及び各画面に対応した図５に記載の振動モードが記憶されている。
従って，タッチされた操作部がタブあるいはキーである場合（Ｓ３でＹＥＳ）には，そのタッチされたタブやキーの種類に応じた振動モードが上記記憶部９を参照する制御部３からバイブレータ５に送信される（Ｓ４）。この場合は，そのタブあるいはキーの操作によって開かれる次の画面（下位概念の画面あるいは詳細画面）に対応する振動モードの信号がバイブレータ５に送られ，バイブレータ５でタッチパネルが加振される（Ｓ４）。
上記キーへのタッチがタッチパネル１によって感知された場合に，上記キー或いは上記操作部全体を，上記キーに割り当てられた機能に応じた振動モードで振動させるバイブレータ５及びバイブレータ５をそのように制御する制御部３が，加振手段の一例である。
これによって操作者は，現在タッチしているタブあるいはキーの操作が確定すると次のどの画面が開かれるかを予知することができる。
【００２４】
またタッチされた操作部がタブでもキーでもない中間的な余白の場所あるいは，特に機械の側面に設けられた別の操作部などである場合には，現在タッチパネルが表示している画面の種類に応じた振動モードが上記記憶部９を参照する制御部３からバイブレータ５に送信され（Ｓ５），そのモードでタッチパネル１が加振される。
【００２５】
図５は，各タブのいずれかがタッチ（選択）され確定された場合の振動モードと，更にそのタブ内のボタンがタッチ（選択）された場合の表示される階層の画面に対応する振動モードを図示するタイムチャートである。
但し，基本画面については初期設定でタブを押さなくてもメニュー画面中に基本画面が表示される（図１）ように設定されているので，基本画面についてはタブが押されなくても図５の基本画面の第１層の振動モードによってタッチパネルが加振される。
【００２６】
振動モードは次のルールによって形成されている。ルールはこれに限るものではない。
振動モードの最小単位は１つのパルス信号である。
パルス信号が複数集まってパルス群が形成される。
パルス群を構成するパルスの間隔は一定であり，パルス間隔Ｔ１と呼ぶ。ただし，パルスが１個でも便宜上パルス群と呼ぶことにする。
【００２７】
またパルス群が繰り返されてパルス集団を構成する。
パルス群の間隔（一定）をパルス群間隔Ｔ２と呼ぶ。
こうしてパルス間隔Ｔ１で繰り返されることによって形成されるパルス群が，パルス群間隔Ｔ２で更に繰り返されることにより１つの画面を表すパルス集団が形成される。
ここでは，便宜的に画面を切り替える機能についてのみ説明するが，複写開始，ソートあり，ソートなしなどの機能についても同様であるので，ここでは説明を省略する。
上記のように１つのパルス集団だけで１つの画面を表すことができるが，１回のパルス集団による加振だけで操作者がパルス集団が意味する画面を理解できない可能性があるので，パルス集団は「パルス集団繰り返し間隔Ｔ３」で繰り返される。
例えば上記パルス間隔Ｔ１は，０．２秒，パルス群間隔Ｔ２は，０．８秒，パルス集団繰り返し間隔Ｔ３は，２秒などである。
【００２８】
図５により更に具体的に説明する。
図１に示す初期画面であるメニュー画面は，同時に基本画面そのものを兼ねている。ここで基本画面及びこれに関する画面（その下位概念画面あるいは詳細画面）については，図示のように１つのパルス群で１つのパルス集団が構成されている。
一方，ユーザ機能画面及びこれに関する画面（その下位概念画面あるいは詳細画面）については，図示のように２つのパルス群で１つのパルス集団が構成されている。
同様に，機能リスト画面及びこれに関する画面（その下位概念画面あるいは詳細画面）については，図示のように３つのパルス群で１つのパルス集団が構成されている。
同様に，プログラム画面及びこれに関する画面（その下位概念画面あるいは詳細画面）については，図示のように４つのパルス群で１つのパルス集団が構成されている。
従って，操作者が，いくつのパルス群で１つのパルス集団が構成されているかを感知できれば，その画面の種類がわかる。
更に各画面がどの階層に属するものであるかを表すために，１つのパルス群を構成するパルスの数が，階層に応じて変えてある。
第１層は単独（１個の）パルス，第２層は２個のパルス，第３層は３個のパルスによってパルス群が構成されているので，１個のパルス群中のパルス数を感知すれば，どの概念層の画面が開かれているか，或いはこれから開かれるかが理解される。
【００２９】
前記したように４つのタブで表されている基本画面，ユーザ機能画面，機能リスト画面，プログラム画面は，図１に示したメニュー画面の下位概念であるが，複雑化を避けるために図５に示したモード（パターン）では，これらについてはパルスの数を変えるという方法を採らず，パルス群の数を変化させている。このように，パルス群を構成するパルスの数を変えることも，パルス集団を構成するパルス群の数を変えることも，画面の種類を表示する同じ方法の異なる具体例であるといえる。
【００３０】
前記Ｓ５のようにタッチパネル１が現在の画面に対応する振動モードで加振された場合，加振が永久に続くことを避けるためにＳ７で所定期間内にタッチ状態が解除（例えば操作者がタッチパネルなどから手を離したかどうか）されたかどうかが判断され，タッチ状態が解除されたと制御部が判断した場合には，加振を終了する（Ｓ９）。
タッチ状態が解除されていないと判断された場合には，処理がＳ２に戻り加振が続けられる。
【００３１】
前記したようにＳ３で，タッチ（操作）されているのがタブかキーかという判断は本質的なものではないので１つにまとめてある。
上記のようにＳ４でタッチされたタブの種類あるいはキーの種類に対応する画面に応じた振動モードでタッチパネルを加振するのは，そのキーによって開かれる次の画面（そのキーに割り当てられた機能の一例）を操作者に予告するためである。
この予告に基づいて操作者はそのタブやキーを押すことによって感知した振動モードにより理解される次の画面が操作者の所望の画面である場合には，所定の期間にタッチパネル１から手を離す。即ち，タッチ状態を確定する。ここで言うタッチ状態の確定と所定期間の詳細については後述する。
即ち，この操作装置は，上記振動モードに基づく振動の状態，即ちパルス集団の繰り返しに対して，上記操作部に表示されたキーについてのタッチ解除などの所定の操作のタイミング（上記モードのどこでタッチ解除したか）に応じて，上記キーに割り当てられた機能を実行させるものである。
タッチ状態が確定されると（Ｓ６でＹＥＳ），タッチ（選択）されたタブあるいはキーに対応した（タブあるいはキーによって開かれる）画面が開かれる。即ち，画面が切り替えられる（Ｓ８）。
画面の切り替えが終了すると，処理はＳ１に戻る。
【００３２】
ここで，前記タッチ状態を解除するための所定期間について図５の機能リスト画面の部分を参照して説明する。
以下の例では，上記タッチによって発生する振動モードが，１または複数のパルスからなるパルス群が一定周期で繰り返される１以上のパルス集団からなり，上記制御部３が，上記１つのパルス集団の時間帯の範囲内において，上記操作部に表示されたキーについてのタッチ状態がオフされたことに応じて，そのタッチされたキーに割り当てられた機能を実行することになる。
図５を参照して説明すると，例えばタッチしたキーが機能リストの第３層に該当する画面を開くためのキーであった場合，上記所定期間は，１つのパルス集団と次のパルス集団との間の間隔Ｔ４の期間が考えられる。但し，パルス集団が終了してから例えばＴ６の余裕を見て，その後のＴ５の期間にタッチが解除された場合にタッチが確定除されたと判断することで，余裕のある判断が可能である。この場合の所定期間は，上記Ｔ５のきかんである。
上記の所定の期間の考え方は１つの例に過ぎない。例えば，上記Ｔ５の期間から外れた期間，即ちパルス集団による加振が行われている期間Ｔ７を所定の期間と設定することももちろん可能である。
【００３３】
このように所定期間Ｔ５の期間あるいはそれを除く期間Ｔ７にタッチが解除された場合には，タッチが確定されたとしてＳ６では，タッチされたタブあるいはキーが開くべき画面が開かれる（Ｓ８）。
即ち，上記タッチされたタブに割り当てられた「次の画面を開くという機能」が実行される。タッチされたキーが例えば複写開始キーのように，画面を開くという機能ではなく，「複写機の駆動を開始する」，「ソートする」，「ソートしない」等の動作処理であれば，そのような処理が実行される。
このように，所定タイミングに従ったキーへのタッチ解除によって，タッチされたキーに割り当てられた機能を実行するのが，機能実行手段の一例である。
またＳ７において上記所定期間内にタッチが解除された場合には，前記したように加振は終了される（Ｓ９）。
【図面の簡単な説明】
【００３４】
【図１】本発明の実施の形態に係る複写機の操作部におけるメニュー画面を示す図。
【図２】本発明の実施の形態に係る複写機の操作部におけるユーザ機能のメイン画面（第１層）を示す図。
【図３】本発明の実施の形態に係る複写機の操作部に関する制御ブロック図。
【図４】本発明の実施の形態に係る複写機の操作部における制御の内容を示すフローチャート。
【図５】操作部における制御の内容を示すタイムチャート。
【符号の説明】
【００３５】
１…タッチパネル（操作部）
３…制御部
５…バイブレータ（操作部加振手段）
７…特殊処理ボタン
９…記憶部
Ｓ１，Ｓ２…  …処理手順（ステップ）番号
【図１】
2008015584.tif 000003
【図２】
2008015584.tif 000004
【図３】
2008015584.tif 000005
【図４】
2008015584.tif 000006
【図５】
2008015584.tif 000007